(57)【特許請求の範囲】
【請求項１】
複数の光透過層を積層した光透過性部材からなる窓部を有する機器ケースと、
前記光透過性部材の下側に位置して前記機器ケース内に配置された表示部材と、
この表示部材の周辺部に沿い且つ前記光透過性部材の下側周辺部に設けられて複数の光透過層を積層した枠状部材と、
前記光透過性部材における前記複数の光透過層間に設けられて紫外線領域の光と赤外線領域の光とのいずれかの特定波長の光に反応して有色発光する第１発光部と、
前記表示部材に設けられて前記特定波長の光に反応して有色発光する第２発光部と、
前記枠状部材における前記複数の光透過層間に設けられて前記特定波長の光に反応して有色発光する第３発光部と、
前記枠状部材の下に配置されて前記第１発光部、前記第２発光部、前記第３発光部に前記特定波長の光を照射する発光素子と
を備えたことを特徴とする電子機器。
【請求項２】
前記光透過性部材の上下面における一方の面には、第４発光部が設けられていることを特徴とする請求項１に記載の電子機器。
【発明の詳細な説明】
【０００１】
【発明の属する技術分野】
この発明は、腕時計、携帯電話機、自動車の計器類などの各種の機器に適用して有用な発光装置および電子機器に関する。
【０００２】
【従来の技術】
例えば、腕時計においては、文字板や指針などの時計部品に夜光塗料などの蓄光塗料を印刷などにより部分的に塗布して蓄光部を形成し、これにより明るい所で蓄光部が外部光を受けてエネルギを蓄え、暗い所で蓄光部が蓄えたエネルギにより発光するようにしたものがある。
【０００３】
【発明が解決しようとする課題】
しかしながら、このような腕時計では、暗い所で蓄光部が発光して時刻を知ることはできるが、使用者が所望するときに蓄光部を自由に発光させることができないばかりか、蓄光部が発光するだけであるから、色彩性に乏しく、十分な装飾効果が得られないという問題がある。
【０００４】
この発明の課題は、所望するときに自由に発光部を発光させることができ、これにより色彩性および装飾性に優れたものを得ることである。
【０００５】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図９に示すように、複数の光透過層（ガラス板１４、１５）を積層した光透過性部材（時計ガラス３）からなる窓部を有する機器ケース（腕時計ケース）と、前記光透過性部材の下側に位置して前記機器ケース内に配置された表示部材（文字板１１、指針１２）と、この表示部材の周辺部に沿い且つ前記光透過性部材の下側周辺部に設けられて複数の光透過層（ガラス板２３、ガラス板２４）を積層した枠状部材（見切り部材２２）と、前記光透過性部材における前記複数の光透過層間に設けられて紫外線領域の光と赤外線領域の光とのいずれかの特定波長の光に反応して有色発光する第１発光部（発光部１７）と、前記表示部材に設けられて前記特定波長の光に反応して有色発光する第２発光部（発光部１７）と、前記枠状部材における前記複数の光透過層間に設けられて前記特定波長の光に反応して有色発光する第３発光部（発光部１７）と、前記枠状部材の下に配置されて前記第１発光部、前記第２発光部、前記第３発光部に前記特定波長の光を照射する発光素子（紫外線発光素子１９）とを備えたことを特徴とする電子機器である。
【０００６】
この発明によれば、発光素子を発光させると、紫外線領域の光と赤外線領域の光とのいずれかの特定波長領域の光が、枠状部材によって光透過性部材の周辺部に沿って導かれ、この導かれた特定波長の光が枠状部材の全周から出射されるので、光透過性部材の複数の光透過層間に配置された第１発光部と、表示部材に設けられた第２発光部と、枠状部材における複数の光透過層間に設けられた第３発光部とにそれぞれ特定波長の光を照射することができる。このため、第１発光部、第２発光部、第３発光部がそれぞれ特定波長の光に反応して有色発光するので、所望するときに発光素子を発光させて、第１発光部、第２発光部、第３発光部をそれぞれ自由に有色発光させることができると共に、表示部材を良好に照明することができ、これにより暗い所でも表示部材で表示された情報を良好に見ることができる。
この場合、特定波長の光が、紫外線領域の光、または赤外線領域の光であるので、人間の目には見えない光であるから、発光素子を発光させても、その発光状態を視認することはできないが、その特定波長領域の光が発光部に照射されると、発光部が有色発光することにより、この発光部の有色発光を人間の目で視認することができる。
また、枠状部材における複数の光透過層間に第３発光部が設けられているので、発光素子が発光して枠状部材の第３発光部に特定波長の光が照射されると、枠状部材の第３発光部が表示部材の周辺部に沿って有色発光し、この第３発光部の有色発光により表示部材を周辺部から照明することができる。さらに、第１発光部と第３発光部とが複数の光透過層間にそれぞれ設けられているので、有色発光した第１発光部が光透過性部材中で浮いたように見える共に、有色発光した第３発光部も枠状部材中で浮いたように見え、これにより色彩性および装飾性に優れたものを得ることができる。
【０００８】
請求項２に記載の発明は、図４および図５に示すように、前記光透過性部材（時計ガラス３）の上下面における一方の面には、第４発光部（発光部２０）が設けられていることを特徴とする請求項１に記載の電子機器である。
この発明によれば、光透過性部材の複数の光透過層間に設けられた第１発光部と、光透過性部材の上下面における一方の面に設けられた第４発光部とに、発光素子からの特定波長領域の光が照射されると、第１発光部と第４発光部とが積層された状態でそれぞれ有色発光するため、第１発光部と第４発光部との全体が立体的に見えることになり、これにより立体感のある装飾効果が得られる。
【００１４】
【発明の実施の形態】
［第１実施形態］
以下、図１〜図３を参照して、この発明を腕時計に適用した第１実施形態について説明する。
図１はこの発明の腕時計を示した要部の拡大断面図、図２はその腕時計の全体を示した一部破断した平面図である。この腕時計は、腕時計ケース１を備えている。この腕時計ケース１の上部外周には、ベゼル２が設けられており、この腕時計ケース１の上部中央には、時計ガラス３がパッキン４を介して装着されている。また、この腕時計ケース１の内部には、図１に示すように、時計モジュール５が枠状の見切り部材６を介して収納されており、この腕時計ケース１の下面には、裏蓋７が防水リング８を介して取り付けられている。
【００１５】
時計モジュール５は、アナログ機能とデジタル機能とのうち、少なくともアナログ機能を備えたものであり、図１に示すように、ハウジング９に設けられたアナログムーブメント（図示せず）の指針軸１０が文字板１１の貫通孔１１ａを通してその上方に突出し、この突出した指針軸１０の上端部に時針、分針などの指針１２が取り付けられ、この指針１２が文字板１１の上方を運針するように構成されている。これら文字板１１および指針１２によって表示部材が構成されており、この文字板１１の上面には、時字１３が周縁部に沿って所定間隔で設けられている。
【００１６】
時計ガラス３は、２枚の透明なガラス板１４、１５を上下に積層した２層構造になっている。これらガラス板１４、１５は、透明な接着剤１６により貼り合わされており、これらガラス板１４、１５間には、発光部１７が設けられている。この発光部１７は、波長が３５０〜４２０ｎｍ（ナノメール：ナノは１０億分の１メートル）または２５４〜３６５ｎｍの紫外線に反応して有色発光し、紫外線が照射されないときに透明な状態を呈するものであり、印刷などによりガラス板１４、１５の各対向面の一方に所定形状、例えば図３に示すような「Ｇ」マーク形状に形成されている。
【００１７】
この発光部１７の発光色は、赤、青、緑（または黄色）の３色を基本として、その色バリエーションが１０〜１３種類ある。また、この発光部１７は指針１２の上面にも設けられている。この場合、時計ガラス３の発光部１７と指針１２の発光部１７とは、同じ色で発光しても良いが、時刻を視認しやすくするために、異なる色で発光することが望ましい。例えば、時計ガラス３の発光部１７は赤色系で発光し、指針１２の発光部１７は緑色系（または黄色系）で発光することが望ましい。
【００１８】
また、見切り部材６は、時計ガラス３の下面における周辺部と文字板１１の上面における周辺部との間に位置した状態で、腕時計ケース１の内面に配置された枠状部材である。この見切り部材６の下面における所定個所、例えば図２に示す１２時と６時とに対応する個所には、図１に示すように、凹部１８がそれぞれ設けられている。この見切り部材６の各凹部１８内には、それぞれブラックライトと呼ばれる紫外線発光素子１９が配置される。
【００１９】
この紫外線発光素子１９は、波長が３６５ｎｍ付近または２５４〜３６５ｎｍの紫外線領域の光を発光する紫外線灯または紫外線発光ダイオード（ＬＥＤ）などの発光素子で構成されている。この場合、見切り部材６は、光拡散性を有する材料、例えばすりガラスなどで形成され、紫外線発光素子１９が腕時計ケース１の外部から見えないように隠すと共に、紫外線発光素子１９で発光した紫外線領域の光を時計ガラス３の周辺部に沿って導いた上、その全周から時計ガラス３の下面に向けて照射するように構成されている。
【００２０】
このような腕時計によれば、紫外線がほとんど当らない室内などの明るい所では、時計ガラス３および指針１２に設けられた各発光部１７が透明な状態を呈するので、各発光部１７によって時計ガラス３、文字板１１、および指針１２が視認性の影響を受けず、時計ガラス３つまり上下のガラス板１４、１５およびその間に設けられた発光部１７を通して文字板１１および指針１２を見ることができ、この文字板１１の時字１３および指針１２によって、通常の腕時計と同様に時刻を知ることができる。
【００２１】
また、紫外線がほとんど当らない室内などで、紫外線発光素子１９を発光させると、その紫外線領域の光が見切り部材６によって時計ガラス３の周辺部に沿って導かれ、その全周からほぼ均一に出射され、この出射された紫外線領域の光が時計ガラス３の下面に向けてほぼ均一に照射されると共に、指針１２にも照射される。このときには、時計ガラス３の下面に照射された紫外線領域の光が、時計ガラス３の下側のガラス板１５を透過して上下のガラス板１４、１５間に設けられた発光部１７に照射され、これにより発光部１７が紫外線に反応して図３に示すような「Ｇ」マーク形状に有色発光する。これと同時に、指針１２に設けられた発光部１７も、紫外線に反応して有色発光する。これにより、暗い所でも時刻を視認することができる。
【００２２】
このように、この腕時計によれば、所望するときに紫外線発光素子１９を発光させることにより、自由に発光部１７を有色発光させることができると共に、発光部１７の有色発光により色彩性および装飾性に優れたものを得ることができる。特に、時計ガラス３の発光部１７が有色発光したときには、発光部１７が時計ガラス３の上下のガラス板１４、１５間に設けられているので、「Ｇ」マーク形状に有色発光した発光部１７が時計ガラス３中で浮いたように見え、このため、より一層、装飾効果を高めることができる。また、見切り部材６は、すりガラスなどのような光拡散性を有する材料で形成されているので、紫外線発光素子１９が時計ガラス３を通して腕時計ケース１の外部から見えないように隠すことができ、これにより外観的にも好ましいものを得ることができる。
【００２３】
［第２実施形態］
次に、図４および図５を参照して、この発明を腕時計に適用した第２実施形態について説明する。なお、図１〜図３に示された第１実施形態と同一部分には同一符号を付して説明する。
この腕時計は、時計ガラス３の上下のガラス板１４、１５間に発光部１７を設けたほか、下側のガラス板１５の下面にも発光部２０を設けた構造で、これ以外は第１実施形態とほぼ同じ構造になっている。この場合、下側のガラス板１５に設けられた発光部２０は、ガラス板１４、１５間の発光部１７と同じもので、紫外線に反応して有色発光し、紫外線が照射されないときに透明な状態を呈するように構成されている。
【００２４】
この場合においても、上下のガラス板１４、１５間に設けられた上側の発光部１７は、第１実施形態と同様、図５に示すような「Ｇ」マーク形状に形成されており、下側のガラス板１５の下面に設けられた下側の発光部２０は、上側の発光部１７とほぼ同じ「Ｇ」マーク形状に形成されているが、上側の発光部１７に対して左右方向（図５では右方向）に若干位置をずらして形成されている。また、これら各発光部１７、２０は、その発光色が同じ色であっても良いが、互いに異なる色であることが望ましい。例えば、上側の発光部１７の発光色は、第１実施形態と同様、赤色系であり、下側の発光部２０の発光色は青色系であり、いずれも指針１２の発光部１７の発光色と異なっていることが望ましい。
【００２５】
このような腕時計によれば、第１実施形態と同様の作用効果があるほか、特に紫外線発光素子１９からの紫外線領域の光が時計ガラス３の下面に照射されると、その紫外線領域の光が、下側のガラス板１５の下面に設けられた下側の発光部２０と、時計ガラス３の上下のガラス板１４、１５間に設けられた上側の発光部１７とに照射されるので、各発光部２０、１７がそれぞれ紫外線に反応して同時に有色発光する。このときには、上側の発光部１７と下側の発光部２０とが、下側のガラス板１５の厚みだけ上下方向に位置がずれていると共に、左右方向にも若干位置がずれ、かつ互いに異なる色で有色発光するので、これら有色発光した各発光部１７、２０によって「Ｇ」マーク形状が立体的に浮いた状態で見えることなり、これにより立体感のある装飾効果を得ることができる。
【００２６】
なお、上記第２実施形態では、上下のガラス板１４、１５間に発光部１７を設け、且つ下側のガラス板１５の下面にも発光部２０を設けたが、必ずしも下側のガラス板１５の下面に発光部２０を設ける必要はなく、上側のガラス板１４の上面に発光部２０を設けても良い。このようにしても、第２実施形態と同様の作用効果がある。また、これに限らず、上下のガラス板１４、１５間に発光部１７を設けると共に、下側のガラス板１５の下面と上側のガラス板１４の上面との両方に発光部２０をそれぞれ設けても良い。このようにすれば、ガラス板１４、１５間の発光部１７のほかに、上側のガラス板１４の発光部２０と下側のガラス板１５の発光部２０とがそれぞれ有色発光するので、より一層、色彩性および装飾性の向上を図ることができると共に、第２実施形態のものよりも立体感のある装飾効果を得ることができる。
【００２７】
［第３実施形態］
次に、図６および図７を参照して、この発明を腕時計に適用した第３実施形態について説明する。この場合にも、図１〜図３に示された第１実施形態と同一部分に同一符号を付して説明する。
この腕時計は、時計ガラス２１と見切り部材２２とが第１実施形態と異なる構造で、これ以外は第１実施形態とほぼ同じ構造になっている。
すなわち、時計ガラス２１は、図６に示すように、単一の透明なガラス板で構成されている。
【００２８】
見切り部材２２は、図６に示すように、文字板１１の上面における周辺部と時計ガラス２１の下面における周辺部との間に配置された枠状部材であり、２枚の透明なガラス層２３、２４を上下に積層させた２層構造になっている。この場合、各ガラス層２３、２４は、上側のガラス層２３の上面の幅が最も狭く形成され、下側のガラス層２４の下面の幅が最も広く形成され、且つ各ガラス層２３、２４の枠状の内側面が相互に連続する傾斜面に形成され、各ガラス層２３、２４の外側面がほぼ垂直面に形成されている。
【００２９】
この見切り部材２２の上下のガラス層２３、２４間には、発光部１７と着色部２５とが設けられている。発光部１７は、第１実施形態と同様、紫外線に反応して有色発光し、紫外線が照射されないときに透明な状態を呈するものであり、印刷などによりガラス層２３、２４の各対向面の一方に図７に示すようなリング形状に形成されている。着色部２５は、遮光性を有する有色材料からなり、発光部１７の外周側に同心円状に設けられている。この場合、発光部１７の発光色と着色部２５の表示色とは、同じ色であっても良いが、それぞれ異なる色であることが望ましい。また、この見切り部材２２の下側、つまり下側のガラス層２４の下側には、発光部１７に紫外線領域の光を照射する紫外線発光素子１９が着色部２５の下方に対応して配置されている。
【００３０】
このような腕時計によれば、紫外線がほとんど当らない室内などの明るい所では、通常の腕時計と同様、時計ガラス２１を通して腕時計ケース１内の文字板１１および指針１２を見ることができ、これにより時刻を知ることができる。このときには、見切り部材２２の発光部１７が透明な状態を呈するので、発光部１７を視認することはできないが、着色部２５は時計ガラス２１を透過した外部光によって所定の色でリング形状に見える。
また、この状態で紫外線発光素子１９を発光させると、その紫外線領域の光が見切り部材２２の下側のガラス層２４に照射され、この照射された光が下側のガラス層２４によって導かれて、その全周から発光部１７に照射され、これにより発光部１７が紫外線に反応して図７に示すようにリング形状に有色発光する。
【００３１】
このときには、見切り部材２２が透明なガラス層２３、２４を上下に積層した２層構造で、上側のガラス層２３の上面の幅が最も狭く、下側のガラス層２４の下面の幅が最も広くなるように、各ガラス層２３、２４の内側面が連続した傾斜面に形成されているので、発光部１７で有色発光した光が各ガラス層２３、２４の傾斜面および上側のガラス層２３の上面から出射される。このため、明かる所でも暗い所でも、発光部１７の有色発光により着色部２５が照明されるので、着色部２５によるリング形状と、発光部１７の有色発光によるリング形状との両方が２重のリング形状に見える。また、発光部１７の有色発光により文字板１１および指針１２も照明されるので、暗い所でも時刻を知ることができる。
【００３２】
このように、この腕時計においても、所望するときに紫外線発光素子１９を発光させて、自由に発光部１７を有色発光させることができると共に、この発光部１７の有色発光および着色部２５の表示色とにより、色彩性および装飾性に優れたものを得ることができる。特に、発光部１７が有色発光したときには、発光部１７が見切り部材２２の上下のガラス層２３、２４間に設けられているので、リング形状に有色発光した発光部１７が見切り部材２２中で文字板１１の上方に浮いた状態で見えることになり、これにより、より一層、装飾性に優れたものを得ることができる。また、見切り部材２２の下側に紫外線発光素子１９を配置しても、見切り部材２２の着色部２５によって紫外線発光素子１９を隠すことができるので、外観的にも好ましいものを得ることができる。
【００３３】
なお、上記第３実施形態では、見切り部材２２の上下のガラス層２３、２４間のみに発光部１７を設けたが、これに限らず、上下のガラス層２３、２４間に発光部１７を設けるほか、第２実施形態と同様、下側のガラス層２４の下面にも発光部２０を設けても良い。このようにすれば、ガラス層２３、２４間に設けられた発光部１７と、下側のガラス層２４の下面に設けられた発光部２０とが、その有色発光時に立体的に見えるので、第２実施形態と同様、立体感のある装飾効果を得ることができる。この場合にも、必ずしも下側のガラス層２４の下面に発光部２０を設ける必要はなく、上側のガラス層２３の上面に発光部２０を設けても良く、またその両方に発光部２０を設けても良い。
【００３４】
また、上記第３実施形態およびその変形例では、見切り部材２２のみに発光部１７、２０を設けたが、これに限らず、時計ガラス２１にも発光部１７、２０を設けても良い。この場合には、第１実施形態と同様、時計ガラス２１を上下２枚の透明なガラス板１４、１５で構成し、これら上下のガラス板１４、１５間に発光部１７を設けても良く、また第２実施形態と同様、ガラス板１４、１５間に発光部１７を設けると共に、下側のガラス板１５の下面、または上側のガラス板１４の上面、あるいはその両方に発光部２０を設けても良い。このようにすれば、見切り部材２２と時計ガラス２１との各発光部１７、２０を同時に有色発光させることができ、より一層、色彩性および装飾性に優れたものを得ることができる。
【００３５】
［第４実施形態］
次に、図８および図９を参照して、この発明を腕時計に適用した第４実施形態について説明する。この場合にも、図１〜図３に示された第１実施形態と同一部分に同一符号を付して説明する。
この腕時計は、時計ガラス３０と文字板３１とが第１実施形態と異なる構造で、これ以外は第１実施形態とほぼ同じ構造になっている。
すなわち、時計ガラス３０は、第３実施形態と同様、単一の透明なガラス板で構成されている。また、文字板３１は、図８に示すように、光透過性を有する２枚のガラス板３２、３３を上下に積層させた２層構造になっている。
【００３６】
この場合、上下のガラス板３２、３３は、第１実施形態と同様、透明な接着剤１６により貼り合わされており、これら上下のガラス板３２、３３間には、発光部１７が設けられている。この発光部１７は、第１実施形態と同様、紫外線に反応して有色発光し、紫外線が照射されないときに透明な状態を呈するものであり、印刷などによりガラス板３２、３３の各対向面の一方に文字や図形、マークなどの形状に形成されている。この発光部１７は、指針１２の上面にも設けられている。この場合にも、文字板３１の発光部１７と指針１２の発光部１７とは、同じ色で発光しても良いが、第１実施形態と同様、時刻を視認しやすくするために、異なる色で発光することが望ましい。
【００３７】
また、この文字板３１の周辺部における所定個所、例えば１２時と６時とに対応する個所には、第１実施形態と同じ紫外線発光素子１９が文字板３１における下側のガラス板３３の側面に対向して配置されている。この紫外線発光素子１９は、第１実施形態と同様、紫外線領域の光を発光するものであり、見切り部材６の下方に対応して配置され、発光した紫外線領域の光が文字板３１の下側のガラス板３３の側面から導入され、この導入された光がその上面からほぼ均一に出射されることにより、発光部１７に紫外線領域の光を照射させるように構成されている。なお、文字板３１の上面、つまり上側のガラス板３２の上面には、第１実施形態と同様、時字１３が設けられている。また、この文字板３１にも、第１実施形態と同様、指針軸１０が挿通する貫通孔３１ａが設けられている。
【００３８】
このような腕時計によれば、紫外線がほとんど当らない室内などの明るい所では、通常の腕時計と同様、時計ガラス３０を通して腕時計ケース１内の文字板３１の時字１３および指針１２を見ることができ、これにより時刻を知ることができる。このときには、文字板３１の発光部１７および指針１２の発光部１７が透明な状態を呈しているので、各発光部１７の影響を受けずに、文字板３１および指針１２を良好に視認することができる。
【００３９】
また、紫外線発光素子１９を発光させると、その紫外線領域の光が文字板３１の下側のガラス板３３の側面からその内部に入射し、この入射した紫外線領域の光が下側のガラス板３３で導かれてその上面からほぼ均一に出射され、この出射された紫外線領域の光が上下のガラス板３２、３３間に設けられた発光部１７に照射されると共に、上側のガラス板３２を透過して指針１２にも照射される。これにより、ガラス板３２、３３間に設けられた発光部１７が紫外線に反応して図９に示すような文字、や図形、マークなどの形状に有色発光すると共に、指針１２に設けられた発光部１７も紫外線に反応して有色発光する。このため、時計ガラス３０を通して腕時計ケース１の外部から有色発光した各発光部１７を見ることができると共に、各発光部１７の有色発光によって暗い所でも時刻を知ることができる。
【００４０】
このように、この腕時計においても、所望するときに紫外線発光素子１９を発光させて、自由に文字板３１および指針１２の各発光部１７を有色発光させることができると共に、各発光部１７の有色発光により色彩性および装飾性に優れたものを得ることができる。特に、文字板３１の発光部１７が有色発光したときには、この発光部１７が文字板３１の上下のガラス板３２、３３間に設けられているので、この発光部１７の文字や図形、マークなどの形状が文字板３１中で浮いたように見えることになり、このため装飾効果の高いものを得ることができる。
【００４１】
［第５実施形態］
次に、図１０および図１１を参照して、この発明を腕時計に適用した第５実施形態について説明する。この場合にも、図１〜図３に示された第１実施形態と同一部分に同一符号を付して説明する。
この腕時計は、図１０に示すように、腕時計ケース１内に見切り部材６を介して収納された時計モジュール４０がデジタル機能を備えた構造で、これ以外は第１実施形態とほぼ同じ構造になっている。すなわち、この時計モジュール４０は、文字板１１および指針１２に代えて、液晶表示素子４１をハウジング５上に配置した構造になっている。
【００４２】
この液晶表示素子４１は、図１０に示すように、上下一対の透明な電極基板４２、４３間に液晶を封入し、上側の電極基板４２の上面および下側の電極基板４３の下面にそれぞれ偏光板４４、４５を設け、下側の偏光板４５の下面に反射板４６を設けた構造で、一対の電極基板４２、４３間に電圧を印加することにより、時刻などの情報を電気光学的に表示するように構成されている。
この第５実施形態においても、時計ガラス３は、第１実施形態と同様、２枚の透明なガラス板１４、１５を上下に積層した２層構造になっている。これらガラス板１４、１５は、透明な接着剤１６により貼り合わされており、これらガラス板１４、１５間には、発光部１７が設けられている。この発光部１７も、紫外線に反応して有色発光し、紫外線が照射されないときに透明な状態を呈するものであり、印刷などによりガラス板１４、１５の各対向面の一方に所定形状、例えば図１１に示すような「Ｇ」マーク形状に形成されている。
【００４３】
また、見切り部材６の下面における所定個所、例えば１２時と６時とに対応する個所には、第１実施形態と同様、凹部１８がそれぞれ設けられており、この凹部１８内には、紫外線領域の光を発光する紫外線発光素子１９がそれぞれ配置される。この場合にも、見切り部材６は、すりガラスなどの光拡散性を有する材料で形成され、紫外線発光素子１９が腕時計ケース１の外部から見えないように隠すと共に、紫外線発光素子１９で発光した紫外線領域の光を時計ガラス３の周辺部に沿って導いた上、その全周から時計ガラス３の下面に向けて照射するように構成されている。
【００４４】
このような腕時計によれば、紫外線がほとんど当らない室内などの明るい所では、第１実施形態と同様、時計ガラス３に設けられた発光部１７が透明な状態を呈するので、発光部１７によって時計ガラス３および液晶表示素子４１が視認性の影響を受けず、時計ガラス３つまり上下のガラス板１４、１５および発光部１７を透して液晶表示素子４１を見ることができ、これにより液晶表示素子４１に表示された時刻などの情報を見ることができる。すなわち、時計ガラス３に入射した外部光は、上側のガラス板１４、発光部１７、および下側のガラス板１５を透過して液晶表示素子４１に入射し、この入射した外部光が液晶表示素子４１を透過して反射板４６で反射され、この反射された光が再び上記と逆の光路を経て時計ガラス３から外部に出射されるので、液晶表示素子４１に表示された情報を腕時計ケース１の外部から見ることができる。
【００４５】
また、紫外線がほとんど当らない室内などで、紫外線発光素子１９を発光させると、その紫外線領域の光が見切り部材６によって時計ガラス３の周辺部に沿って導かれ、その全周からほぼ均一に出射されて時計ガラス３の下面に照射され、この照射された紫外線領域の光が時計ガラス３の下側のガラス板１５を透過して上下のガラス板１４、１５間に設けられた発光部１７に照射され、これにより発光部１７が紫外線に反応して図１１に示すような「Ｇ」マーク形状に有色発光する。このため、暗い所では発光部１７の有色発光を見ることができ、また明るい所では、図１１に示すように、発光部１７の有色発光と液晶表示素子４１に表示された時刻などの情報との両方を同時に見ることができる。
【００４６】
このように、この腕時計においても、所望するときに紫外線発光素子１９を発光させて、自由に時計ガラス３の発光部１７を有色発光させることができ、これにより色彩性および装飾性に優れたものを得ることができる。特に、時計ガラス３の発光部１７が有色発光したときには、発光部１７が時計ガラス３の上下のガラス板１４、１５間に設けられているので、第１実施形態と同様、発光部１７の「Ｇ」マークが時計ガラス３中に浮いたように見え、これにより、より一層、装飾性に優れたものを得ることができる。また、見切り部材６は、すりガラスなどのような光拡散性を有する材料で形成されているので、第１実施形態と同様、紫外線発光素子１９が腕時計ケース１の外部から見えないように隠すことができ、これにより外観的にも好ましいものを得ることができる。
【００４７】
［第６実施形態］
次に、図１２および図１３を参照して、この発明を携帯電話機に適用した第６実施形態について説明する。この場合には、図１０および図１１に示された第５実施形態と同一部分に同一符号を付して説明する。
この携帯電話機は、図１２に示すように、合成樹脂製の機器ケース５０を備えている。この機器ケース５０は、上ケース５１と下ケース５２とを接合した構造で、上ケース５１の上面には、その上部側の窓部に相当する部分に設けられた開口部に透明な保護ガラス５３が装着されており、この上ケース５１の上面における下部側には、電話機能に必要な各種のキー釦５４が設けられている。また、この機器ケース５０の上端面には、アンテナ５５が出没可能に取り付けられている。
【００４８】
この機器ケース５０の内部には、図１３に示すように、電話機能用のモジュール５６が枠状の見切り部材５７を介して収納されている。このモジュール５６は、電話機能に必要な各種の部品を備えたものであり、液晶表示素子４１、および導光板５８を備え、これらを保護ガラス５３に対応させた状態でハウジング６０に配置した構造になっている。この場合、見切り部材５７は、モジュール５６の上部外周に配置され、これによりモジュール５６を機器ケース５０内に押えるように構成されている。
【００４９】
保護ガラス５３は、第２実施形態と同様、２枚の透明なガラス板１４、１５を上下に積層した２層構造になっている。これらガラス板１４、１５は、透明な接着剤１６により貼り合わされており、これらガラス板１４、１５間には、発光部１７が設けられているほか、下側のガラス板１５の下面にも発光部２０が設けられている。これら発光部１７、２０は、第１実施形態と同様、紫外線に反応して有色発光し、紫外線が照射されないときに透明な状態を呈するものである。
【００５０】
この場合、上下のガラス板１４、１５間に設けられた上側の発光部１７は、第１実施形態と同様、図１２に示す「Ｇ」マーク形状に形成されている。また、下側のガラス板１５の下面に設けられた下側の発光部２０は、上側の発光部１７とほぼ同じ「Ｇ」マーク形状に形成されているが、上側の発光部１７に対して左右方向（図１３では右方向）に若干位置をずらして形成されている。これら各発光部１７、２０は、その発光色が同じ色であっても良いが、互いに異なる色であることが望ましい。例えば、上側の発光部１７の発光色は、第１実施形態と同様、赤色系で、下側の発光部２０の発光色は青色系であることが望ましい。
【００５１】
また、液晶表示素子４１は、第５実施形態と同様、上下一対の透明な電極基板４２、４３間に液晶を封入し、上下の各電極基板４２の外面にそれぞれ偏光板４４、４５を設け、下側の偏光板４５の下側に導光板５８を介して編者板４６を配置した構造で、一対の電極基板４２、４３間に電圧を印加することにより、電話機能に必要な情報を表示するように構成されている。この場合、導光板５８は、透明な合成樹脂または透明なガラス板からなり、側面から入射した光を導いてその上面からほぼ均一に出射するように構成されている。この導光板５８の周囲における所定個所、例えば３時側と９時側とに位置する個所には、紫外線領域の光を発光する紫外線発光素子１９が導光板５８の側面に対向して配置されている。
【００５２】
このような携帯電話機によれば、紫外線がほとんど当らない室内などの明るい所では、保護ガラス５３に設けられた発光部１７、２０が透明な状態を呈するので、発光部１７、２０によって保護ガラス５３、液晶表示素子４１が視認性の影響を受けず、保護ガラス５３つまり上下のガラス板１４、１５および発光部１７、２０を透して液晶表示素子４１に表示された情報を見ることができる。すなわち、第５実施形態と同様、保護ガラス５３に入射した外部光は、上側のガラス板１４、発光部１７、下側のガラス板１５、および発光部２０を透過して液晶表示素子４１に入射し、この入射した外部光が液晶表示素子４１および導光板５８を透過して反射板４６で反射され、この反射された光が再び上記と逆の光路を経て保護ガラス５３から外部に出射されるので、液晶表示素子４１に表示された情報を機器ケース５０の外部から見ることができる。
【００５３】
また、紫外線がほとんど当らない室内などで、紫外線発光素子１９を発光させると、その紫外線領域の光が導光板５８の側面からその内部に入射し、この入射した紫外線領域の光が導光板５８で導かれてその上面からほぼ均一に出射され、この出射された紫外線領域の光が液晶表示素子４１を透過して保護ガラス５３の下面に照射される。これにより、下側のガラス板１５の下面に設けられた発光部２０が紫外線に反応して有色発光すると共に、この下側のガラス板１５を透過した紫外線領域の光が上下のガラス板１４、１５間に設けられた発光部１７にも照射され、この発光部１７も紫外線に反応して有色発光する。
【００５４】
このときには、第２実施形態と同様、上側の発光部１７と下側の発光部２０とが、下側のガラス板１５の厚みだけ上下方向に位置がずれていると共に、左右方向にも若干位置がずれ、かつ互いに異なる色で有色発光するので、これら有色発光した各発光部２０、１７による「Ｇ」マークが立体的に浮いたように見え、これにより立体感のある装飾効果を得ることができる。
このように、この携帯電話機においても、所望するときに紫外線発光素子１９を発光させて、保護ガラス５３の各発光部１７、２０を自由に発光させることができ、これにより色彩性および装飾性に優れたものを得ることができる。
【００５５】
なお、上記第６実施形態では、導光板５８の下側に反射板４６を設けたが、これに限らず、液晶表示素子４１と導光板５８との間にハーフミラーを配置し、このハーフミラーで外部光の一部を反射し、且つ紫外線発光素子１９で発光して導光板５８で導かれた紫外線領域の光のほとんどを透過させるように構成しても良い。このように構成しても、第６実施形態とほぼ同様の作用効果がある。
【００５６】
また、上記第６実施形態では、液晶表示素子４１の下側に配置された導光板５８の側面に対向させて紫外線発光素子１９を配置したが、必ずしも導光板５８を用いる必要はなく、第１実施形態と同様、見切り部材５７の下側に紫外線発光素子１９を配置し、この紫外線発光素子１９で発光した紫外線領域の光を見切り部材５７によって導いてその全周から保護ガラス５３の下面に照射するように構成しても良い。また、見切り部材５７も、第３実施形態と同様、透明なガラス層２３、２４を上下に積層させた２層構造に形成し、これらの間に発光部１７および着色部２５を設けても良い。このようにすれば、第３実施形態と同様の作用効果がある。
【００５７】
さらに、上記第１〜第６実施形態およびその変形例では、光透過性部材として、時計ガラス３、見切り部材２２、文字板３１、および保護ガラス５３を２層構造にし、これらの間に発光部１７を設けたが、必ずしも２層構造である必要はなく、３層以上の多層構造にし、これらの各層間に発光部１７をそれぞれ設けても良く、またこの多層構造の最上面と最下面との一方または両方にそれぞれ発光部２０を設けても良い。このように構成すれば、発光部１７を複数層に積層することができるので、第１〜第６実施形態のものよりも、色彩性および装飾性の高いものを得ることができると共に、より一層、立体感のあるものをも得ることができる。
【００５８】
また、上記第１〜第６実施形態およびその変形例では、発光部として、紫外線に反応して有色発光する発光部１７、２０を用い、且つこの発光部１７、２０に特定波長領域の光を照射する発光素子として、紫外線領域の光を発光する紫外線発光素子１９を用いた場合について述べたが、これに限らず、波長が７８０ｎｍ以上の赤外線に反応して有色発光する発光部を用い、この発光部に波長が７８０ｎｍ以上の赤外線領域の光を照射する赤外線発光素子を用いても良い。このような構造でも、赤外線が人間の目に見えないので、上記第１〜第６実施形態およびその変形例と同様の作用効果がある。
【００５９】
さらに、上記第１〜第６実施形態および各変形例では、腕時計または携帯電話機に適用した場合について述べたが、これに限らず、例えば電子手帳、電子辞書、携帯端末機、パソコン、印刷機などの各種の電子機器、または自動車の計器類などの各種機器、あるいはそれらの各部品に広く適用することができる。
【００６０】
【発明の効果】
以上説明したように、この発明によれば、複数の光透過層を積層した光透過性部材からなる窓部を有する機器ケースと、光透過性部材の下側に位置して機器ケース内に配置された表示部材と、この表示部の周辺部に沿い且つ光透過性部材の下側周辺部に設けられて複数の光透過層を積層した枠状部材と、光透過性部材における複数の光透過層間に設けられて紫外線領域の光と赤外線領域の光とのいずれかの特定波長の光に反応して有色発光する第１発光部と、表示部材に設けられて前記特定波長の光に反応して有色発光する第２発光部と、枠状部材における複数の光透過層間に設けられて特定波長の光に反応して有色発光する第３発光部と、枠状部材の下に配置されて第１発光部、第２発光部、第３発光部に特定波長の光を照射する発光素子とを備えているので、所望するときに発光素子を発光させて、第１発光部、第２発光部、第３発光部をそれぞれ自由に有色発光させることができ、これにより式再製および装飾性に優れたものを得ることができる。
すなわち、発光素子を発光させると、紫外線領域の光と赤外線領域の光とのいずれかの特定波長領域の光が、枠状部材によって光透過性部材の周辺部に沿って導かれ、この導かれた特定波長の光が枠状部材の全周から出射されるので、光透過性部材の複数の光透過層間に配置された第１発光部と、表示部材に設けられた第２発光部と、枠状部材における複数の光透過層間に設けられた第３発光部とにそれぞれ特定波長の光を照射することができる。このため、第１発光部、第２発光部、第３発光部がそれぞれ特定波長の光に反応して有色発光するので、所望するときに発光素子を発光させて、第１発光部、第２発光部、第３発光部をそれぞれ自由に有色発光させることができると共に、表示部材を良好に照明することができ、これにより暗い所でも表示部材で表示された情報を良好に見ることができる。
【００６１】
この場合、特定波長の光が、紫外線領域の光、または赤外線領域の光であるので、人間の目には見えない光であるから、発光素子を発光させても、その発光状態を視認することはできないが、その特定波長領域の光が発光部に照射されると、発光部が有色発光することにより、この発光部の有色発光を人間の目で視認することができる。
また、枠状部材における複数の光透過層間に第３発光部が設けられているので、発光素子が発光して枠状部材の第３発光部に特定波長の光が照射されると、枠状部材の第３発光部が表示部材の周辺部に沿って有色発光し、この第３発光部の有色発光により表示部材を周辺部から照明することができる。また、第１発光部と第３発光部とが複数の光透過層間にそれぞれ設けられているので、有色発光した第１発光部が光透過性部材中で浮いたように見える共に、有色発光した第３発光部も枠状部材中で浮いたように見え、これにより色彩性および装飾性に優れたものを得ることができる。
さらに、光透過性部材の上下面における一方の面には、第４発光部が設けられていることにより、光透過性部材の複数の光透過層間に設けられた第１発光部と、光透過性部材の上下面における一方の面に設けられた第４発光部とに、発光素子からの特定波長領域の光が照射されると、第１発光部と第４発光部とが積層された状態でそれぞれ有色発光するため、第１発光部と第４発光部との全体が立体的に見えることになり、これにより立体感のある装飾効果が得られる。
【図面の簡単な説明】
【図１】この発明を腕時計に適用した第１実施形態を示した要部の拡大断面図。
【図２】図１の腕時計の全体を上面側から見た状態で一部を破断した拡大平面図。
【図３】図２に示された紫外線発光素子を発光させて時計ガラスの発光部を有色発光させた状態を示した平面図。
【図４】この発明を腕時計に適用した第２実施形態を示した要部の拡大断面図。
【図５】図４に示された紫外線発光素子を発光させて時計ガラスの各発光部を有色発光させた状態を示した平面図。
【図６】この発明を腕時計に適用した第３実施形態を示した要部の拡大断面図。
【図７】図６に示された紫外線発光素子を発光させて見切り部材の発光部を有色発光させた状態を示した平面図。
【図８】この発明を腕時計に適用した第４実施形態を示した要部の拡大断面図。
【図９】図８に示された紫外線発光素子を発光させて文字板の発光部を有色発光させた状態を示した平面図。
【図１０】この発明を腕時計に適用した第５実施形態を示した要部の拡大断面図。
【図１１】図１０に示された紫外線発光素子を発光させて時計ガラスの発光部を有色発光させた状態を示した平面図。
【図１２】この発明を携帯電話機に適用した第６実施形態を示した外観斜視図。
【図１３】図１２のＡ−Ａ矢視における断面図。
【符号の説明】
１  腕時計ケース
３、２１、３０  時計ガラス
５、４０  時計モジュール
６、２２、５７  見切り部材
１１、３１  文字板
１２  指針
１４、１５、３２、３３  ガラス板
１７、２０  発光部
１９  紫外線発光素子
２３、２４  ガラス層
２５  着色部
４１  液晶表示素子
５０  機器ケース
５３  保護ガラス
５６  モジュール
５８  導光板
【図１】
0003979076.tif 000002
【図２】
0003979076.tif 000003
【図３】
0003979076.tif 000004
【図４】
0003979076.tif 000005
【図５】
0003979076.tif 000006
【図６】
0003979076.tif 000007
【図７】
0003979076.tif 000008
【図８】
0003979076.tif 000009
【図９】
0003979076.tif 000010
【図１０】
0003979076.tif 000011
【図１１】
0003979076.tif 000012
【図１２】
0003979076.tif 000013
【図１３】
0003979076.tif 000014